(57)【要約】【課題】  意匠パネルの意匠面全体を均一に光らせることができるシフトレバー装置の提供。【解決手段】  光源２０と、意匠パネル３０とを、有しており、意匠パネル４０は、シフトポジションを表す文字部が設けられ光源２０からの光を内部で乱反射させて意匠パネル３０の意匠面３０ａの全体から均一またはほぼ均一に出光する、シフトレバー装置１０。光源２０からの光は、意匠パネル３０内に入り、意匠パネル３０内を反射しながら通り、意匠パネル３０の意匠面全体を均一またはほぼ均一に光らせる。【選択図】        図４
2006123668.tif 000002
【特許請求の範囲】
【請求項１】
光源と、意匠パネルとを、有し、
前記意匠パネルは、シフトポジションを表す文字部が設けられ前記光源からの光を内部で乱反射させて前記意匠パネルの意匠面の全体から均一またはほぼ均一に出光する、
シフトレバー装置。
【発明の詳細な説明】
【技術分野】
【０００１】
本発明は、車両用シフトレバー装置に関する。
【背景技術】
【０００２】
特開２００１−２１９７５７号公報は、光源からの光でシフトポジション文字部分を照明するシフトレバー装置を開示している。公報に開示されたシフトレバー装置では、意匠パネルの裏側にレンズを装着し、光源を用いてレンズに光を通し、照明を行っている。
【０００３】
自動車室内の演出のため、意匠パネルの意匠面全体を光らせたいというニーズがある。
しかし、意匠パネルの意匠面全体をレンズを用いて均一に光らせることは内部機構の影となり難しい。
【特許文献１】特開２００１−２１９７５７号公報
【特許文献２】特開平１０−２１７７９６号公報
【発明の開示】
【発明が解決しようとする課題】
【０００４】
本発明が解決しようとする問題点は、意匠パネルの意匠面全体を均一に光らせることが困難なことである。
本発明の目的は、意匠パネルの意匠面全体を、単純にレンズを用いて光らせる場合より、均一に光らせることができるシフトレバー装置を提供することにある。
【課題を解決するための手段】
【０００５】
上記目的を達成する本発明はつぎの通りである。
（１）  光源と、意匠パネルとを、有し、
前記意匠パネルは、シフトポジションを表す文字部が設けられ前記光源からの光を内部で乱反射させて前記意匠パネルの意匠面の全体から均一またはほぼ均一に出光する、
シフトレバー装置。
【発明の効果】
【０００６】
上記（１）のシフトレバー装置では、意匠パネルが光源からの光を内部で乱反射させて意匠パネルの意匠面の全体から均一またはほぼ均一に出光するので、光源からの光は、意匠パネル内に入り、意匠パネル内を反射しながら通り、意匠パネルの意匠面全体を均一またはほぼ均一に光らせる。そのため、意匠パネルの意匠面全体を均一またはほぼ均一に光らせることができる。
【発明を実施するための最良の形態】
【０００７】
本発明実施例のシフトレバー装置を、図１〜図５を参照して説明する。
本発明実施例のシフトレバー装置１０は、直線状の１本のシフトレバー通路からなるストレート式のシフトレバー装置であってもよく、ジグザグ形状の１本のシフトレバー通路からなるゲート式のシフトレバー装置であってもよく、複数本のシフトレバー装置を有しＳ位置、＋位置、−位置を有するシーケンシャルタイプのシフトレバー装置であってもよい。なお、図示例では、シフトレバー装置１０がゲート式のシフトレバー装置である場合を示している。
【０００８】
シフトレバー装置１０は、図４に示すように、光源２０と、意匠パネル３０と、光不透過性部材４０と、を有する。
光源２０は、光を発生する。光源２０は、たとえば、バルブ、発光ダイオード等からなる。ただし、光源２０は、これらに限定されるものではない。光源２０は、光不透過部材４０に取付けられる。光源２０は、図３に示すように、４個設けられている。ただし、光源２０からの光が意匠パネル３０の全体に行き渡れば、１個であってもよく、２個であってもよく、３個であってもよい。光源２０からの光で、後述の文字部３１ｂ、３１ｃ、３１ｄだけでなく、後述のレバー開口部３１ａの周縁、その他の意匠パネル３０の意匠面３０ａも光らせている。
【０００９】
意匠パネル３０は、光源２０からの光を導入し、内部で乱反射させて意匠パネル３０の意匠面３０ａの全体から出光する。意匠パネル３０は、図１に示すように、光不透過性部材４０に固定して取付けられる。意匠パネル３０は、光透過性を有する透明な樹脂中に光源２０からの光を乱反射させる粒子を分散させたもの等からなる。なお、透明樹脂は、無色であってもよく着色されていてもよい。
意匠パネル３０は、図４または図５に示すように、板状部３１と、側壁部３２を有する。
【００１０】
板状部３１には、図示略のシフトレバーが挿通されるレバー開口部３１ａが設けられている。レバー開口部３１ａの周縁に、金属調メッキ３１ｅが施されていることが望ましい。
板状部３１には、図２に示すように、シフトポジションを表す文字部３１ｂと、Ｐ（パーキング）の上に「SHIFT LOCK」の文字部３１ｃと、パネル側レバー開口部３１ａの側方に「PWR」「SNOW」の文字部３１ｄが設けられている。なお、「PWR」「SNOW」の文字部３１ｄは、変速機のギヤ比を低めにするか高めにするかを設定するスイッチを表示する文字である。各文字部３１ｂ、３１ｃ、３１ｄは、板状部３１の上面（おもて面）に印刷されていてもよく、板状部３１の下面（裏面）に印刷されていてもよい。
板状部３１の下面には、図４に示すように、銀白色等の明るい色の塗装３１ｆが施されている。ただし、塗装３１ｆの代わりに、板状部３１の下面にフィルムインモールド成形にて明るい色のフィルムを設けてもよい。塗装３１ｆまたはフィルムを設けるのは、意匠パネル３０内で乱反射して意匠パネル３０の下面から出光しようとする光を反射させて意匠パネル３０の意匠面３０ａに向わせるためである。
【００１１】
側壁部３２は、板状部３１の外周端で板状部３１の周方向に複数設けられる。ただし、側壁部３２は、板状部３１の全周にわたって連続して設けられていてもよい。側壁部３２は、光源２０の近傍に位置している。光源２０からの光は、側壁部３２の内側面３２ａから意匠パネル３０内に導入される。側壁部３２の内側面３２ａから意匠パネル３０内に導入された光は、意匠パネル３０内で乱反射しながら側壁部３２から意匠パネル３０の全体に行き渡る。
【００１２】
光不透過性部材４０は、図示略の車両に固定される図示略のベースに固定して取付けられる。光不透過性部材４０は、意匠パネル３０の裏側に配置される。光不透過性部材４０は、光源２０と意匠面３０ａとの間に入り込む遮断部４１を有する。遮断部４１は、光源２０からの光が直接意匠面３０ａに達することを遮るために設けられている。
【００１３】
本発明実施例の作用、効果を説明する。
意匠パネル３０が光源２０からの光を内部で乱反射させて意匠面３０ａの全体から均一またはほぼ均一に出光するので、光源２０からの光は、意匠パネル３０内に入り、意匠パネル３０内を反射しながら通り、意匠パネル３０の意匠面３０ａ全体を均一またはほぼ均一に光らせる。そのため、シフトレバー装置１０の意匠パネル３０の意匠面３０ａ全体を均一またはほぼ均一に光らせることができる。
また、光不透過性部材４０が光源２０と意匠面３０ａとの間に配置されるので（遮断部４１が光源２０と意匠面３０ａとの間に入り込んでいるので）、光源２０からの光が直接意匠面３０ａに向かうことを防止できる。そのため、意匠パネル３０内部での光の乱反射を抑えた場合でも意匠面３０ａが部分的に明るくなることを防止できる。したがって、光源２０からの光が直接意匠面３０ａに向かう場合に比べてムラなく均一に意匠面３０ａを光らせることができる。
なお、光源の光を側壁部３２の内側面３２ａではなく下側端面から導入することにより、意匠パネル３０内部での光の乱反射を抑えた場合、光不透過性部材４０を廃止することができる。
【００１４】
各文字部３１ｂ、３１ｃ、３１ｄが板状部３１の上面に印刷されている場合、次の作用、効果を得ることができる。
（ａ）背面からの光を遮ることができるので、各文字部３１ｂ、３１ｃ、３１ｄの部分が他の意匠面３０ａ部分に比べて暗くなり、各文字部分３１ｂ、３１ｃ、３１ｄを他の意匠面３０ａ部分と区別することができる。
（ｂ）板状部３１の下面に印刷されている場合に比べて、意匠パネル３０が介在しないためくっきりとした表示になる。
【００１５】
各文字部３１ｂ、３１ｃ、３１ｄが板状部３１の下面に印刷されている場合、次の作用、効果を得ることができる。
（ａ）各文字部３１ｂ、３１ｃ、３１ｄで反射した光が意匠パネル３０の意匠面３０ａに現れてくるため、各文字部３１ｂ、３１ｃ、３１ｄを他の意匠面３０ａ部分と区別することができる。
（ｂ）板状部３１の上面に印刷されている場合に比べて、シフトレバー装置１０使用時に手が各文字部３１ｂ、３１ｃ、３１ｄに触れるおそれがないため、各文字部３１ｂ、３１ｃ、３１ｄが摩耗することはない。
【００１６】
本発明実施例では、光源２０からの光の入射位置によらず全体から均一に出光する意匠パネル３０の板状部３１の上面または下面に文字部３１ｂ、３１ｃ、３１ｄを形成することにより、部品点数を増やすことなく夜間におけるシフトポジション表示照明と自動車室内の演出としての意匠パネル３０全体照明とを同じ光源２０で両立できる。
【図面の簡単な説明】
【００１７】
【図１】本発明実施例のシフトレバー装置の部分斜視図である。
【図２】図１の平面図である。
【図３】図１の底面図である。
【図４】図２のＡ−Ａ線断面図である。
【図５】図２のＡ−Ａ線での、光源と意匠パネルと光不透過性部材のみの端面図である。
【符号の説明】
【００１８】
１０  シフトレバー装置
２０  光源
３０  意匠パネル
３０ａ  意匠面
３１  板状部
３１ａ  レバー開口部
３１ｂ、３１ｃ、３１ｄ  文字部
３２  側壁部
３２ａ  側壁部の内側面
４０  光不透過性部材
４１  遮断部
【図１】
2006123668.tif 000003
【図２】
2006123668.tif 000004
【図３】
2006123668.tif 000005
【図４】
2006123668.tif 000006
【図５】
2006123668.tif 000007